(57)【要約】本発明は医用画像に基づく放射シールド装置および方法を提供し、例えば腫瘍位置、大きさなど患者の個体差に応じて、指向性があり、正確度が高い放射シールドを形成することで、放射線照射装置の患者の正常組織に対する放射を減少しまたは避ける。本発明のシールド装置は、被照射体の照射部分を走査しかつ医用画像ボクセルデータを出力する医用画像走査装置と、医用画像ボクセルデータに基づいて三次元プロステーシス組織モデルを確立し、かつ三次元プロステーシス組織モデルに基づいてシールド体三次元モデルを確立するデータ処理および三次元モデリング装置と、シールド体三次元モデルデータを３Ｄプリンターに入力してプリントして形成されたシールド体と、を含み、シールド体は、放射線照射装置と照射部分との間に位置する。
2019524357.tif 000002
【特許請求の範囲】
【請求項１】
被照射体の正常組織に対する放射線照射装置の放射をシールドするために用いられる、医用画像に基づく放射シールド装置であって、
前記被照射体の照射部分を走査し、かつ、医用画像ボクセルデータを出力する医用画像走査装置と、
前記医用画像ボクセルデータに基づいて三次元プロステーシス組織モデルを確立し、かつ、前記三次元プロステーシス組織モデルに基づいてシールド体三次元モデルを確立する、データ処理および三次元モデリング装置と、
前記シールド体三次元モデルデータを３Ｄプリンターに入力してプリントして形成され、放射線照射装置と照射部分との間に位置するシールド体と、
を備えることを特徴とする、
医用画像に基づく放射シールド装置。
【請求項２】
前記シールド体三次元モデルは、前記三次元プロステーシス組織モデルに基づき、前記放射線照射装置のデータ情報、および、放射線照射装置と照射部分との間の位置関係を結びつけて確立される、ことを特徴とする、
請求項１に記載の医用画像に基づく放射シールド装置。
【請求項３】
前記シールド体の材料は、中性子シールド材料および光子シールド材料の少なくとも１種を含み、前記シールド体は、前記被照射体の表面に固定され、前記被照射体の表面外形と相互に整合する、ことを特徴とする、
請求項１に記載の医用画像に基づく放射シールド装置。
【請求項４】
前記シールド体は、中心スルーホールを有し、前記中心スルーホールの直径と、前記被照射体体内の病変組織のビームに垂直な方向における最大のサイズとの比率区間は１−２であり、前記シールド体の最大の厚みの数値範囲は３−２０ｍｍであり、前記シールド体の外面の面積範囲は１０−２００ｃｍ２である、ことを特徴とする、
請求項３に記載の医用画像に基づく放射シールド装置。
【請求項５】
前記放射線照射装置の生成した放射線がシールド体を通過した後に減衰される比率は≧５０％であり、シールド体を通過した後の放射線の正常組織に対する放射深度の、シールド体を通過しない放射線の正常組織に対する放射深度に対する比率は≦５０％である、ことを特徴とする、
請求項１に記載の医用画像に基づく放射シールド装置。
【請求項６】
放射線照射装置とシールド体とを含み、前記放射線照射装置は、被照射体を照射し、照射部分を形成し、前記シールド体は、前記放射線照射装置と照射部分との間に位置し、かつ、３Ｄプリンターでプリントして形成される、ことを特徴とする
放射線治療装置。
【請求項７】
前記放射線治療装置は、三次元映像走査装置と、データ処理および三次元モデリング装置と、をさらに含み、
前記三次元映像走査装置は、前記照射部分を走査し、かつ、三次元データを出力し、
前記データ処理および三次元モデリング装置は、前記三次元データに基づいて照射部分三次元モデルを確立し、かつ、前記照射部分三次元モデルに基づいてシールド体三次元モデルを確立し、
前記シールド体は、前記シールド体三次元モデルデータを３Ｄプリンターに入力してプリントして形成される、
ことを特徴とする、請求項６に記載の放射線治療装置。
【請求項８】
前記放射線治療装置は、医用画像走査装置と、データ処理および三次元モデリング装置と、をさらに含み、
前記医用画像走査装置は、前記照射部分を走査し、かつ、医用画像ボクセルデータを出力し、
前記データ処理および三次元モデリング装置は、前記医用画像ボクセルデータに基づいて三次元プロステーシス組織モデルを確立し、かつ、前記三次元プロステーシス組織モデルに基づいてシールド体三次元モデルを確立するし、
前記シールド体は、前記シールド体三次元モデルデータを３Ｄプリンターに入力してプリントして形成される、
ことを特徴とする、請求項６に記載の放射線治療装置。
【請求項９】
前記放射線照射装置は、放射線生成装置、ビーム整形体、およびコリメータを含み、
前記放射線生成装置は、放射線を生成することができ、
前記ビーム整形体は、前記放射線生成装置が生成した放射線のビーム品質を調整することができ、前記ビーム整形体は、ビーム出口を含み、
前記コリメータは、前記ビーム整形体を経過した放射線を集めることができ、
前記シールド体は、前記コリメータまたはビーム出口と、照射部分との間に位置する、ことを特徴とする、請求項６または８に記載の放射線治療装置。
【請求項１０】
前記放射線治療装置は、硼素中性子捕獲治療装置であり、前記被照射体は、がん患者であり、前記放射線生成装置は、中性子生成装置であり、前記中性子生成装置は、アクセラレーターとターゲットとを含み、前記アクセラレーターは、帯電粒子を加速し、中性子は、前記加速した帯電粒子とターゲットとが作用して生成される、ことを特徴とする、
請求項９に記載の放射線治療装置。
【請求項１１】
前記患者の正常組織が前記硼素中性子捕獲治療過程中に受け取る放射用量は、１８Ｇｙより小さい、ことを特徴とする、
請求項１０に記載の放射線治療装置。
【請求項１２】
前記放射線治療装置は、さらに治療台を含み、前記放射線は、前記シールド体を通過した後に前記治療台上の患者の病変組織に作用し、前記シールド体は、被照射体の表面または前記治療台または前記コリメータまたは前記ビームの出口に固定される、ことを特徴とする、
請求項９または１０に記載の放射線治療装置。
【請求項１３】
医用画像走査装置によって被照射体の照射部分を走査し、かつ、前記照射部分の医用画像ボクセルデータを出力するステップと、
前記医用画像ボクセルデータに基づいて三次元プロステーシス組織モデルを確立するステップと、
前記三次元プロステーシス組織モデルに基づいてシールド体三次元モデルを確立するステップと、
前記シールド体三次元モデルデータを３Ｄプリンターに入力してシールド体をプリントするステップと、
シールドを取り付けて位置決めするステップと、を含む、
ことを特徴とする、医用画像に基づく放射シールド方法。
【請求項１４】
前記三次元プロステーシス組織モデルデータに基づいてシールド体三次元モデルを確立するステップには、さらに、放射線照射装置のデータ情報および放射線照射装置と照射部分との位置関係を収集または入力して、三次元プロステーシス組織モデルデータを結びつけてシールド体三次元モデルを確立し、かつ、シールド体の取り付け位置を決定することを含む、ことを特徴とする、
請求項１３に記載の医用画像に基づく放射シールド方法。
【発明の詳細な説明】
【技術分野】
【０００１】
本発明は、放射線治療の放射シールド装置に関し、特に医用画像に基づく放射シールド装置である。また、本発明は、放射線治療の放射シールド方法に関し、特に医用画像に基づく放射シールド方法である。
【背景技術】
【０００２】
原子科学の発展に従って、例えばコバルト60、線形加速器、電子ビームなどの放射線療法は、すでにがん治療の主な手段の一つとなった。しかし、従来の光子または電子療法は、放射線そのものの物理的条件の制限で腫瘍細胞を殺すとともに、ビーム経路上の大量の正常組織に損傷を与える。また、腫瘍細胞により放射線に対する感受性の度合いが異なっており、従来の放射線療法では、放射線耐性の高い悪性腫瘍（例、多形神経膠芽腫（ｇｌｉｏｂｌａｓｔｏｍａ  ｍｕｌｔｉｆｏｒｍｅ）、黒色腫（ｍｅｌａｎｏｍａ））に対する治療効果が良くない。
【０００３】
腫瘍の周囲の正常組織への放射線損傷を軽減するすために、化学療法（ｃｈｅｍｏｔｈｅｒａｐｙ）における標的療法が、放射線療法に用いられている。また、放射線耐性の高い腫瘍細胞に対し、現在では生物学的効果比（ｒｅｌａｔｉｖｅ  ｂｉｏｌｏｇｉｃａｌ  ｅｆｆｅｃｔｉｖｅｎｅｓｓ、ＲＢＥ）の高い放射線源が積極的に開発されている（例えば、陽子線治療、重粒子治療、中性子捕捉療法など）。このうち、中性子捕捉療法は、上記の2つの構想を結びつけたものである。例えば、ホウ素中性子捕捉療法では、ホウ素含有薬物が腫瘍細胞に特異的に集まり、高精度な中性子ビームの制御と合わせることで、従来の放射線と比べて、より良いがん治療オプションを提供する。
【０００４】
放射線治療過程中に各種の放射線を生成することがあり、例えば硼素中性子捕獲治療過程には低エネルギーから高エネルギーまでの中性子、光子を生成し、これらの放射線は人体の正常組織に異なる程度の傷害を引き起こす可能性がある。そのため放射線治療領域において、如何に効果的な治療に達すると共に、外部環境、医員または患者の正常組織に対する放射汚染を減らすことは非常に重要なテーマとなっている。既存の放射線治療設備では、放射に対するシールドはまだ主に設備を放置する部屋、設備自身に集中し、設備の出口から出た放射線の患者の正常組織に対する放射に対するものがない。さらに患者の個体差異に基づき、例えば腫瘍位置、大きさ、形状などによって、指向性があり、正確度が高い放射シールドを形成することができない。
【０００５】
核磁気共鳴イメージング（Ｍａｇｎｅｔｉｃ  Ｒｅｓｏｎａｎｃｅ  Ｉｍａｇｉｎｇ、ＭＲＩ）またはコンピュータ断層撮影（Ｃｏｍｐｕｔｅｄ  Ｔｏｍｏｇｒａｐｈｙ、ＣＴ）などの医用画像データは人体体内の特徴に対して詳細な組織幾何構造情報を提供可能で、人体内部構造の実体モデリングにデータ基礎を提供することができる。
【発明の概要】
【発明が解決しようとする課題】
【０００６】
そのため、指向性があり、正確度が高い放射シールドを形成し、患者の正常組織に対する放射を減らしまたは避けることができる、医用画像に基づく放射シールド方法と装置を提供する必要がある。
【課題を解決するための手段】
【０００７】
被照射体の正常組織に対する放射線照射装置の放射をシールドするために、本発明の一観点では、医用画像に基づく放射シールド装置を提供し、放射シールド装置は、被照射体の照射部分を走査し、かつ医用画像ボクセルデータを出力する医用画像走査装置と、医用画像ボクセルデータに基づいて三次元プロステーシス組織モデルを確立し、かつ、三次元プロステーシス組織モデルに基づいてシールド体三次元モデルを確立するデータ処理および三次元モデリング装置と、シールド体三次元モデルデータを３Ｄプリンターに入力してプリントして形成され、放射線照射装置と照射部分との間に位置するシールド体と、を含む。
【０００８】
好ましく、シールド体三次元モデルは、三次元プロステーシス組織モデルに基づき、放射線照射装置のデータ情報、および、放射線照射装置と照射部分との間の位置関係を結びつけて確立される。
【０００９】
好ましく、シールド体の材料は、中性子シールド材料および光子シールド材料の少なくとも１種を含み、シールド体は、被照射体の表面に固定され、被照射体の表面外形と相互に整合する。シールド体は、中心スルーホールを有し、中心スルーホールの直径と、被照射体体内の病変組織のビームに垂直な方向における最大サイズとの比率区間は１−２であり、シールド体の最大の厚みの数値範囲は３−２０ｍｍであり、シールド体の外面の面積範囲は１０−２００ｃｍ２である。
【００１０】
好ましく、放射線照射装置の生成した放射線がシールド体を通過した後に減衰される比率は≧５０％であり、シールド体を通過した後の放射線の正常組織に対する放射深度の、シールド体を通過しない放射線の正常組織に対する放射深度に対する比率は≦５０％である。
【００１１】
本発明の他の観点では、放射線治療装置を提供し、放射線治療装置は、放射線照射装置とシールド体とを含む。放射線照射装置は、被照射体を照射し、照射部分を形成する。シールド体は、放射線照射装置と照射部分との間に位置し、かつ、３Ｄプリンターでプリントして形成される。
【００１２】
好ましく、放射線治療装置は、さらに三次元映像走査装置と、データ処理および三次元モデリング装置と、を含む。三次元映像走査装置は、照射部分を走査し、かつ、三次元データを出力する。データ処理および三次元モデリング装置は、三次元データに基づいて照射部分三次元モデルを確立し、かつ、照射部分三次元モデルに基づいてシールド体三次元モデルを確立する。シールド体は、シールド体三次元モデルデータを３Ｄプリンターに入力してプリントして形成される。
【００１３】
好ましく、放射線治療装置は、さらに医用画像走査装置と、データ処理および三次元モデリング装置と、を含む。医用画像走査装置は、照射部分を走査し、かつ、医用画像ボクセルデータを出力する。データ処理および三次元モデリング装置は、医用画像ボクセルデータに基づいて三次元プロステーシス組織モデルを確立し、かつ、三次元プロステーシス組織モデルに基づいてシールド体三次元モデルを確立する。シールド体は、シールド体三次元モデルデータを３Ｄプリンターに入力してプリントして形成される。
【００１４】
好ましく、放射線照射装置は、放射線生成装置、ビーム整形体、およびコリメータを含み、放射線生成装置は、放射線を生成することができ、ビーム整形体は、放射線のビーム品質を調整することができ、コリメータは、ビーム整形体を経過した放射線を集めることができ、シールド体は、コリメータまたはビーム出口と、照射部分との間に位置する。
【００１５】
好ましく、放射線治療装置は、硼素中性子捕獲治療装置であり、被照射体は、がん患者であり、放射線生成装置は、中性子生成装置であり、中性子生成装置は、アクセラレーターとターゲットとを含み、アクセラレーターは、帯電粒子を加速し、中性子は、加速した帯電粒子とターゲットとが作用して生成される。
【００１６】
さらに、患者の正常組織が硼素中性子捕獲治療過程中に受け取る放射用量は、１８Ｇｙより小さい。
好ましく、放射線治療装置は、さらに治療台を含み、放射線は、シールド体を通過した後に治療台上の患者の病変組織に作用し、シールド体は、被照射体の表面または治療台またはコリメータに固定される。
【００１７】
本発明の第三の観点では、医用画像に基づく放射シールド方法を提供し、放射シールド方法は、医用画像走査装置によって被照射体の照射部分を走査し、かつ、照射部分の医用画像ボクセルデータを出力するステップと、医用画像ボクセルデータに基づいて三次元プロステーシス組織モデルを確立するステップと、三次元プロステーシス組織モデルに基づいてシールド体三次元モデルを確立するステップと、シールド体三次元モデルデータを３Ｄプリンターに入力してシールド体をプリントするステップと、シールドを取り付けて位置決めするステップと、を含む。
【００１８】
好ましく、三次元プロステーシス組織モデルデータに基づいてシールド体三次元モデルを確立するステップには、さらに、放射線照射装置のデータ情報および放射線照射装置と照射部分との位置関係を収集または入力して、三次元プロステーシス組織モデルデータを結びつけてシールド体三次元モデルを確立し、かつ、シールド体の取り付け位置を決定することを含む。
【００１９】
本発明に記載の医用画像に基づく放射シールド方法と装置は、シールド体が３Ｄプリントで形成され、異なる被照射体の個体差によって分けて成形することができ、かつ複雑な形状に対して迅速に成形することができ、指向性がより高く、正確度がより高く、より高い放射シールド効果を取得することができる。
【図面の簡単な説明】
【００２０】
【図１】本発明の実施例中の硼素中性子捕獲治療装置の概略図である。
【図２】本発明の実施例中の医用画像に基づく放射シールド方法のロジック枠図である。
【図３】本発明の実施例中のシールド体と被照射体との位置関係の概略図である。
【発明を実施するための形態】
【００２１】
以下は、図面を参照して本発明をさらに詳しく説明し、当業者は明細書の文字を参照して実施することができるようにする。
図１に示すとおり、本実施例中の放射線治療装置は好ましく硼素中性子捕獲治療装置１００であり、中性子生成装置１０、ビーム整形体２０、コリメータ３０、治療台４０を含む。中性子生成装置１０はアクセラレーター１１とターゲットＴを含み、アクセラレーター１１は帯電粒子（例えば陽子、デューテリウム核など）に対して加速し、陽子線のような帯電粒子線Ｐを生成し、帯電粒子線ＰはターゲットＴに照射しかつターゲットＴと作用して中性子線（中性子ビーム）Ｎを生成し、ターゲットＴは好ましく金属ターゲットである。必要な中性子生成率とエネルギー、提供可能な加速した帯電粒子エネルギーと電流の大きさ、金属ターゲットの物理化学的性質などの特性に従って適切な核反応を選択し、常に討論される核反応は７Ｌｉ（ｐ，ｎ）７Ｂｅ及９Ｂｅ（ｐ，ｎ）９Ｂがあり、この２種類の反応はいずれも吸熱反応である。２種類の核反応のエネルギー閾値はそれぞれ１．８８１ＭｅＶと２．０５５ＭｅＶであり、硼素中性子捕獲治療の理想的な中性子源はｋｅＶエネルギーランクの熱外中性子であるため、理論上にエネルギーが閾値よりただ少し高い陽子を使用してリチウム金属ターゲットを砲撃すれば、相対的な低エネルギーの中性子を生成することができ、余計な減速処理を必要とせずに臨床に使うことができるが、リチウム金属（Ｌｉ）とベリリウム金属（Ｂｅ）の２種類のターゲットと閾値エネルギーの陽子作用断面が高くなく、十分に大きな中性子束を生成するために、一般的には高エネルギーの陽子を選択して核反応を誘発する。理想的なターゲットは高い中性子生成率、生成した中性子エネルギーの分布が熱外中性子エネルギー領域に近接し（以下に詳細に描述される）、余計な強い透過性のある放射を生成せず、安全で安くて操作しやすくかつ耐高温などの特性を備えるべきであるが、実際にはすべての要求に合致する核反応を見つけることができず、本発明の実施例にはリチウム金属で作製されたターゲットを採用する。しかし当業者が熟知するように、ターゲットＴの材料はリチウム、ベリリウム以外の金属材料で作製されてもよく、例えばタンタル（Ｔａ）またはタングステン（Ｗ）などから形成される；ターゲットＴは円板状であってもよく、また他の固体形状であってもよく、また液体材料（液体金属）を使用してもよい。アクセラレーター１１は直線アクセラレーター、旋回アクセラレーター、同期アクセラレーター、同期旋回アクセラレーターであってもよく、中性子生成装置１０は原子炉であってもよくアクセラレーターとターゲットを採用しない。硼素中性子捕獲治療の中性子源の由来は原子炉またはアクセラレーター帯電粒子とターゲットの核反応にもかかわらず、生成したのは実際にいずれも混合放射場であり、即ちビームは低エネルギーから高エネルギーまでの中性子、光子を含む。深部腫瘍に対する硼素中性子捕獲治療は、熱外中性子を除き、他の放射線含有量は多ければ多いほど、正常組織の非選択的な用量沈殿を引き起こす比率が大きくなって、そのためこれらの不必要な用量を引き起こす放射を可能な限り下げるべきである。また、被照射体の正常組織にとって、各種の放射線が多すぎ、同様に不必要な用量沈殿を引き起こすことを避けるべきである。
【００２２】
中性子生成装置１０が生成した中性子ビームＮは、ビーム整形体２０とコリメータ３０とを順次通過して治療台４０上の患者２００に照射される。ビーム整形体２０は、中性子生成装置１０が生成した中性子ビームＮのビーム品質を調整することができる。コリメータ３０は、中性子ビームＮを集め、中性子ビームＮに治療過程中に高い標的性を与えるために用いられる。コリメータ３０を調整することで、ビームの方向およびビームと治療台４０上の患者２００との位置関係を調整することができ、治療台４０および患者２００の位置も調整し、ビームを患者２００の体内の腫瘍細胞Ｍに狙いをつけさせることができる。これらの調整は、手動で操作されてもよく、また一連の制御機構によって自動で実現されてもよい。理解できるように、本発明はコリメータがなくてもよく、ビームがビーム整形体２０から出た後に直接治療台４０上の患者２００に照射されてもよい。
【００２３】
ビーム整形体２０はさらに反射体２１、減速体２２、熱中性子吸収体２３、放射シールド体２４およびビーム出口２５を含む。中性子生成装置１０が生成する中性子はエネルギースペクトルが広いため、熱外中性子に治療ニーズを満たさせる以外に、他の種類の中性子および光子含有量を可能な限り減らすことで操作者または患者に傷害を引き起こすことを避ける。そのため中性子生成装置から出た中性子に減速体２２を経させて、その中の速い中性子エネルギーを熱外中性子エネルギー領域に調整する必要がある。減速体２２は速い中性子との作用断面が大きく、熱外中性子との作用断面が小さい材料で作製される。好ましい実施例として、減速体１３はＤ２Ｏ、ＡｌＦ３、Ｆｌｕｅｎｔａｌ、ＣａＦ２、Ｌｉ２ＣＯ３、ＭｇＦ２およびＡｌ２Ｏ３の少なくとも１種で作製される。反射体２１は、減速体２２を囲み、かつ減速体２２を通過して周辺へ拡散した中性子を中性子ビームＮに反射して中性子の利用率を向上させる。反射体２１は、中性子反射能力が高い材料で作製され、好ましい実施例として、反射体２１は、ＰｂまたはＮｉ中の少なくとも１種で作製される。減速体２２の後部には熱中性子吸収体２３を有する。熱中性子吸収体２３は、熱中性子との作用断面が大きい材料で作製され、好ましい実施例として、熱中性子吸収体２３はＬｉ−６で作製される。熱中性子吸収体２３は、減速体２２を通過する熱中性子を吸収するためのものであって、中性子ビームＮ中の熱中性子の含有量を減少し、治療時に浅層正常組織と余計な用量を引き起こすことを避ける。放射シールド体２４は、ビーム出口を囲んで反射体の後部に設けられ、ビーム出口２５以外の部分からしみ出る中性子と光子をシールドするために用いられる。放射シールド体２４の材料は、光子シールド材料と中性子シールド材料との少なくとも１種を含み、好ましい実施例として、放射シールド体２４の材料は光子シールド材料の鉛（Ｐｂ）と中性子シールド材料のポリエチレン（ＰＥ）とを含む。コリメータ３０がビーム出口２５の後部に設けられ、コリメータ３０から出た熱外中性子ビームは患者２００に照射され、浅層正常組織を経過した後に熱中性子に減速されて腫瘍細胞Ｍに到着する。理解できるように、ビーム整形体２０はさらにその他の構造があってもよく、治療に必要な熱中性子ビームを取得すればよい。
【００２４】
患者２００が硼素（Ｂ−１０）薬物を服用または注射した後、硼素薬物は、選択的に腫瘍細胞Ｍ中に集中し、続いて硼素（Ｂ−１０）薬物が熱中性子に対して高い捕獲断面を有するという特性を利用し、１０Ｂ（ｎ、α）７Ｌｉ中性子捕獲および核分裂反応により４Ｈｅと７Ｌｉの２個の重荷電粒子を生成する。２個の荷電粒子の平均エネルギーは、約２．３３ＭｅＶであり、高い線形転移（Ｌｉｎｅａｒ  Ｅｎｅｒｇｙ  Ｔｒａｎｓｆｅｒ、ＬＥＴ）、短い射程の特徴を有し、α短粒子の線形エネルギー転移と射程はそれぞれ１５０ｋｅＶ／μｍ、８μｍであり、７Ｌｉ重荷粒子は１７５ｋｅＶ／μｍ、５μｍであり、２個の粒子の総射程は約１個の細胞の大きさに相当する。そのため生物体に与える放射傷害は細胞階層に限定することができ、正常組織に大きい傷害を引き起こすことなく、腫瘍細胞を局所的に殺すという目的を達成する。
【００２５】
硼素中性子捕獲治療装置１００はさらに放射シールド装置５０を含む。中性子生成装置１０の生成した中性子ビームＮをビーム整形体２０とコリメータ３０とを経過させた後に患者２００に照射するのは主に治療用の熱外中性子ビームであるが、実際には依然として他の中性子および光子がその中に混入することを完全防止できず、これらの放射線は患者２００の正常組織に照射される時に傷害を引き起こす可能性がある。また、治療用の熱外中性子ビームは、人体の正常組織に対する影響が極めて小さいが、用量累積を引き起こす可能性を依然として下げる必要がある。そのため放射シールド装置５０を設けて患者のビームに照射される必要がない部分をシールドして保護する。
【００２６】
放射シールド装置５０は、さらに医用画像走査装置５１、データ処理および三次元モデリング装置５２、およびシールド体５３を含む。医用画像走査装置５１は、患者２００の照射部分を走査し、かつ医用画像ボクセルデータを出力する。照射部分は、放射線照射装置（中性子生成装置１０、ビーム整形体２０、コリメータ３０で構成される）の治療台４０に近接する端面からの照射方向に沿って一定の照射深度を取り、照射方向に垂直に一定の照射平面を取り、形成される立体空間が患者身体と重なり合う部分と定義される。医用画像データは核磁気共鳴イメージング（Ｍａｇｎｅｔｉｃ  Ｒｅｓｏｎａｎｃｅ  Ｉｍａｇｉｎｇ、ＭＲＩ）、コンピュータ断層撮影（Ｃｏｍｐｕｔｅｄ  Ｔｏｍｏｇｒａｐｈｙ、ＣＴ）、陽電子放出断層撮影（Ｐｏｓｉｔｒｏｎ  Ｅｍｉｓｓｉｏｎ  Ｔｏｍｏｇｒａｐｈｙ、ＰＥＴ）、ＰＥＴ−ＣＴまたはＸ射線イメージング（Ｘ−Ｒａｙ  ｉｍａｇｉｎｇ）であってもよい。下文の実施例中では、コンピュータ断層撮影（ＣＴ）のデータに基づいて詳述し、ＣＴのファイルフォーマットは一般的にはＤＩＣＯＭである。しかし当業者が熟知するように、さらに他の医用画像データを使用することができ、該医用画像データが三次元プロステーシス組織モデルに変換することができれば、本発明の掲示した医用画像に基づく放射シールド装置および方法に応用することができる。
【００２７】
患者２００が治療台４０に位置決めされた後、ＣＴによって患者２００の照射部分が走査され、ＣＴのデータファイル、即ち医用画像ボクセルデータが形成される。データ処理および三次元モデリング装置５２は、医用画像ボクセルデータに基づいて三次元プロステーシス組織モデルを確立し、例えばＭＩ−３ＤＶＳソフトウェアまたはＣＡＤソフトウェアなどの三次元モデリングソフトウェアを利用して三次元可視化を行う。三次元プロステーシス組織モデルは、病変組織と正常組織とを含む。三次元プロステーシス組織モデルに基づき、さらに正常組織シールド体の三次元モデルが確立され、かつシールド体の取り付け位置が決定される。シールド体三次元モデルの確立では、例えばビーム強度、ビーム磁束、ビーム直径、照射経路などの放射線照射装置のデータ情報と、放射線照射装置と照射部分との位置関係と、を結び付けることができ、この過程中にさらに実際の状況に基づいて人為的な修正を行うことができる。理解できるように、患者２００が治療室に入る前にＣＴ走査を行うことができ、したがって医用画像走査装置５１を治療室内に集積する必要がなく、病院の従来のＣＴスキャナーを利用し、走査によって照射部分を決定し、照射部分のＣＴデータファイルを形成する。この時、例えばビーム強度、ビーム磁束、ビーム直径、照射経路などの放射線照射装置のデータ情報、および、放射線照射装置と照射部分との位置関係も、走査して決定された照射部分に従い決定され、続いて上記データ情報に基づいてシールド体三次元モデルを確立する。
【００２８】
シールド体５３は、シールド体三次元モデルデータを３Ｄプリンターに入力してプリントして形成される。三次元モデルデータを記録するＳＴＬフォーマットファイルは、コンピュータシステムに入力され、二次元スライスデータに層化され、コンピュータに制御された３Ｄプリントシステムは、階層的にプリントを行い、重ねられた後、最終的に三次元製品が取得される。シールド体５３は、放射線照射装置の生成するビームの患者２００の正常組織に対する照射をシールドすることができ、ビームはシールド体５３を経過した後に治療台４０上の患者２００の腫瘍細胞Ｍに作用する。シールド体５３は、放射線照射装置と照射部分との間に位置し、好ましくは、シールド体はコリメータまたはビーム出口と照射部分との間に位置する。シールド体５３の材料は、中性子シールド材料および光子シールド材料中の少なくとも１種を含む。好ましくは、シールド体５３は板状であり、患者の照射部分の体表に直接固定され、患者の被取り付け位置の体表外形に整合され、正確に取り付けやすく、固定方式は粘着、ベルトまたはバックルなどであってもよい。シールド体５３は、中心スルーホール５３１を有し、中心スルーホール５３１の直径と患者２００の体内の腫瘍細胞Ｍのビームに垂直な方向の最大サイズの比率区間は１−２であり、腫瘍細胞を殺すと同時に、正常組織の傷害が最大限避けられる。中心スルーホール５３１の形状は、好ましくは、腫瘍細胞Ｍのビーム方向に平行な投影の外輪郭形状であり、中心スルーホールの限定された直径は即ち該外輪郭形状の直径と理解してもよい。理解できるように、シールド体５３には中心スルーホールがなくてもよく、中心部分に他の部分と異なる厚みを有してもよく、または、シールド体全体はいずれも位置が異なると異なる厚みを有してもよい。シールド体５３の最大の厚みの数値範囲は３−２０ｍｍであり、外面の面積範囲は１０−２００ｃｍ２である。３Ｄプリントを採用するので、シールド体５３は異なる被照射体の個体差によって分けて成形することができ、かつ複雑な形状に対して迅速に成形することができ、より高い放射シールド効果を取得することができる。形状が特別な部分では、シールド体５３は、取り付けやすいよう複数であってもよい。シールド体５３はさらに治療台またはコリメータまたはビーム出口に固定されてもよい。また、３Ｄプリンターと、治療台またはコリメータまたはビーム出口とを結び付けてもよく、互いの位置関係を決定した後に直接対応する位置にシールド体がプリントされてもよい。医用画像によって患者腫瘍部分を走査し、指向性を有する３Ｄプリントシールド体を取得することで、放射線がシールド体を通過した後に減衰される比率を≧５０％に達せさせることができ、好ましく≧８０％とできる。患者の正常組織が硼素中性子捕獲治療過程中に受け取る放射用量は１８Ｇｙより小さい。シールド体を通過した後の放射線の正常組織に対する放射深度の、シールド体を通過しない放射線の正常組織に対する放射深度に対する比率は≦５０％である。シールド体５３の材料、形状、構造はより複雑に設計することができ、腫瘍細胞の立体形状に整合するように、コリメータまたはビーム出口から来た中性子ビームの経路を変更することができる。例えば中心スルーホール５３１は、ビーム方向に沿って異なる線分で構成され、シールド体５３の異なる部分は異なる材料で構成される。
【００２９】
本実際例の医用画像に基づく放射シールド方法は、以下のステップを含む：
Ｓ１：医用画像走査装置５１によって患者２００の照射部分を走査し、かつ、前記照射部分の医用画像ボクセルデータを出力する；
Ｓ２：データ処理および三次元モデリング装置５２は、Ｓ１で得られた医用画像ボクセルに基づいて三次元プロステーシス組織モデルを確立する；
Ｓ３：データ処理および三次元モデリング装置５２は、Ｓ２で得られた三次元プロステーシス組織モデルデータに基づいてシールド体三次元モデルを確立する；
Ｓ４：シールド体三次元モデルデータを３Ｄプリンターに入力してシールド体５３をプリントする；
Ｓ５：シールド体を取り付けて位置決めする。
【００３０】
ステップＳ３は、例えばビーム強度、ビーム磁束、ビーム直径、照射経路などの放射線照射装置のデータ情報、および、放射線照射装置と照射部分との位置関係を収集または入力して、続いて三次元プロステーシス組織モデルデータを結びつけてシールド体三次元モデルを確立し、かつ、シールド体の取り付け位置を決定することをさらに含む。この過程中にさらに実際状況に基づいて人為的な修正を行ってもよい。
【００３１】
本発明の実際例では、医用画像走査装置を採用して患者照射部分の組織構成を取得できるので、的確に腫瘍細胞の形状、位置、大きさなどに基づいてシールド体を取得することができる。理解できるように、本発明では、非医用画像走査装置も採用でき、例えば患者体表形状のみを走査する三次元映像走査装置で、それにより患者照射部分外形の三次元データを取得して三次元モデリングを行い、さらに照射部分の外形に整合された３Ｄプリントシールド体を取得してもよい。
【００３２】
理解できるように、本発明は、さらに、当業者が熟知する他の病変組織に対して放射線照射を行い、正常組織を保護して放射線の放射／照射を無くすまたは減らす必要がある放射線治療領域に応用することができ、中性子生成装置は、相応的に他の放射線生成装置、例えば陽子生成装置、重イオン生成装置、Ｘ射線生成装置またはガンマ射線生成装置などに取り替えられてもよい。さらに放射線照射で治療できる他の疾病、例えばアルツハイマー病、関節リウマチに応用することができ、この場合、腫瘍細胞はその他の病変組織である。本実施例中の被照射体は、がん患者であり、理解できるように、被照射体は他の生物体、例えば哺乳動物であってもよい。
【００３３】
本発明の実施例中の位置関係は、ビーム伝送経路の方向に沿う位置関係であり、“後部”とはビーム方向に沿う下流である。
以上では、当業者が本発明を理解しやすいよう、本発明の説明的な発明を実施するための形態を描述している。当業者であれば、本発明は発明を実施するための形態の範囲に限らず、変更が添付の特許請求の範囲により限定され決定される本発明の精神の範囲内にあれば、これらの変更は明らかに、いずれも本発明の要求した保護範囲内にあることは明らかであろう。
【図１】
2019524357.tif 000003
【図２】
2019524357.tif 000004
【図３】
2019524357.tif 000005
【国際調査報告】
2019524357.tif 000006
2019524357.tif 000007
2019524357.tif 000008
2019524357.tif 000009